(57)【要約】【課題】発光ダイオード素子を収容するための凹部を設け、該凹部と対向する面に光拡散しシートを配置した混色用導光板と、該凹部内に発光ダイオード素子を搭載したサブマウント基板を樹脂封止した発光ダイオードモジュールにおいて、封止した樹脂と混色用導光板との間の界面剥離により生じる色ムラを抑え、光源としての信頼性を高めた発光ダイオードモジュールを提供する。【解決手段】発光ダイオード素子を封止樹脂として透明性軟質樹脂を用い、該封止樹脂と混色用導光板の凹部との間に微少な空間を設け、更に、混色用導光板の凹部は半球体とする。【選択図】図７
2008053069.tif 000002
【特許請求の範囲】
【請求項１】
発光ダイオード素子を搭載したサブマウント基板を、長辺方向に沿って複数配置した長尺状の金属配線基板と、該サブマウント基板を個別に収納するための凹部を形成し、該凹部を形成した面と対向する面に光拡散シートを配置した透明性硬質樹脂から成る長尺状の混色用導光板と、該凹部内を透明性軟質樹脂で封止して成る発光ダイオードモジュールにおいて、発光ダイオード素子を封止する透明性軟質樹脂と混色用導光板に形成した凹部の間に微少な空間を設けたことを特徴とする発光ダイオードモジュール。
【請求項２】
請求項１に記載の発光ダイオードモジュールにおいて、長尺状の配線基板の長辺方向に沿って発光ダイオード素子を搭載したサブマウント基板を複数配置し、これら複数配置したサブマウント基板を導光板に形成した長辺方向に長い凹部内に収納し、透明性軟質樹脂で封止して成ることを特徴とする発光ダイオードモジュール。
【請求項３】
請求項１から請求項２の何れかに記載の発光ダイオードモジュールにおいて、導光板に設けた発光ダイオード素子を収容する凹部及び軟質樹脂の形状が、半球体であることを特徴とする発光ダイオードモジュール。
【請求項４】
請求項１から請求項３の何れかに記載の発光ダイオードモジュールにおいて、サブマウント基板上に発光波長の異なる二種類以上の発光ダイオード素子を搭載したことを特徴とする発光ダイオードモジュール。
【請求項５】
請求項１に記載の発光ダイオードモジュールにおいて、発光ダイオード素子を封止する樹脂材料がゲルあるいはゴムであることを特徴とする発光ダイオードモジュール。
【請求項６】
請求項１に記載の発光ダイオードモジュールにおいて、発光ダイオード素子とサブマウント基板を収容する凹部を形成した混色用導光板の材料がアクリル樹脂あるいはポリカーボネート樹脂であることを特徴とする発光ダイオードモジュール。
【請求項７】
発光ダイオードを光源としたエッジライト方式のバックライトにおいて、請求項１から請求項６の何れかに記載の発光ダイオードモジュールの光出射面を、矩形状の導光板の端面に対向して配置したことを特徴とするエッジライト方式のバックライトモジュール。
【発明の詳細な説明】
【技術分野】
【０００１】
本発明は、複数個の発光ダイオード素子を用いた発光ダイオードモジュールの構造及び該発光ダイオードを用いたエッジライト方式のバックライトに関するものである。
【背景技術】
【０００２】
携帯電話や携帯情報端末機等に使用される小型の液晶パネル用バックライトの光源には、一般に低出力タイプの発光ダイオード素子が用いられている。一方、テレビやパソコン等、大きな画面が必要となる液晶表示装置には、高い光出力が得られる冷陰極管が使用されている。ところが近年、１Ｗ程度の電力を投入することが可能な高出力タイプの発光ダイオード素子の実用化に伴い、これらを用いた大型液晶表示装置での利用が可能な発光ダイオードを光源としたバックライトモジュールの開発が活発化している。
【０００３】
従来の冷陰極管を使用したエッジライト方式の面状照明装置の断面図を図１に示す。このような面状照明装置は、光を透過する材料から成る矩形状の導光板（以下、主導光板）の側面に、線状光源である冷陰極管が対向配置された構造から成る。冷陰極管から出射した白色光は、主導光板の側面から入射し、内部で反射を繰り返しながら主導光板の光出射面から面状に取り出される。ここで、主導光板に用いられる部材は、たとえば高い光の透過性を有するアクリルやポリカーボネート等の硬質性の樹脂が用いられる。
【０００４】
これに対して、バックライトモジュールの光源として発光ダイオードを用いた場合、色再現範囲の向上や水銀レス化等を実現できるため、液晶表示装置を高機能化することが可能となる。
【０００５】
発光ダイオード素子は点光源であることから、線状光源が必要とされるエッジライト方式のバックライトモジュールに適用するためには、図２に示したような、レフを備えたベース基板上に１個から４個程度の発光ダイオード素子を実装し、該発光ダイオード素子を保護するとともに、光取出し効率を高めるために樹脂を用いて封止した発光ダイオードパッケージを、図３に示したように、長尺の配線基板の長手方向に沿って複数個実装し、主導光板の側面に対向する面に配置する。
【０００６】
ここで、白色光源に発光ダイオードを用いることの利点である色再現範囲を向上させるためには、赤色，緑色，青色の三色の発光ダイオード素子を用い、これらを混色して白色化する方法が最も有効である。そこで一般に、各色の発光ダイオード素子を各々パッケージングした発光ダイオードを用いて、長尺の配線基板の長手方向に沿って複数個配置する構成が用いられる（例えば参考文献１）。また、赤色，青色，緑色の三色の発光ダイオード素子を一組としてサブマウント基板上に搭載した後、樹脂を用いて封止した発光ダイオードパッケージが用いられることもある（例えば、特許文献２）。
【０００７】
このような発光ダイオードパッケージから出射する光は、指向性を有するため、主導光板側面の光入射面において輝度ムラが生じやすい。そこで、輝度ムラを低減させるため、例えば、主導光板側面の光入射面に形成した凹部内に発光ダイオードパッケージを配置する構造が用いられる。（例えば特許文献３，特許文献４）
【特許文献１】特開２００５−１９６９８９号公報
【特許文献２】特開平８−１１６４０１号公報
【特許文献３】特開２００３−１２３５２５号公報
【特許文献４】特開２００６−１９１０４号公報
【発明の開示】
【発明が解決しようとする課題】
【０００８】
エッジライト方式のバックライト光源には、小型化と高輝度化が求められている。また、主導光板の端面に入射する白色光は、色ムラや輝度ムラが均一であることが望ましい。
【０００９】
通常、発光ダイオードを光源としたバックライトは、発光ダイオードパッケージを長尺状の銅やアルミ等の金属材料を基材とした金属配線基板上に複数個配置する。しかしながら、このような、発光ダイオードパッケージを直列に配置した方式のバックライトは光利用効率が低いため、テレビやパソコン等、携帯電話等に比べて、より大きな画面が必要となる液晶表示装置に適用する場合、必要とされる画面輝度が得られなく、また、小型化を諮るために主導光板端面の入射面の近傍に発光ダイオードパッケージを配置する必要があるため、隣り合う発光ダイオードパッケージによって生じる輝度ムラが問題となっていた。
【００１０】
そこでこれらの課題を解決するため、主導光板端面の面積と同じ光出射面を備えた長尺形状の導光板（以下、混色用導光板）を用いて、該混色用導光板に発光ダイオード素子を収納するための凹部（以下、封止空間）を一つあるいは複数個形成し、該凹部に発光ダイオード素子を搭載したサブマウント基板を配置した後に、透明性軟質樹脂を用いて封止し、主導光板と混色用導光板の間に光拡散シートを配置した方式を用いることにより、色ムラ、輝度ムラが少ない白色光が得られ、光利用効率にも優れるために小型で高輝度なバックライト光源を得ることができる。また、主導光板の側面に凹部等を形成する必要がないことから、冷陰極管からの置き換えが容易に行える。
【００１１】
しかしながら、このような方式のバックライト光源の場合、発光ダイオード素子を直列に配列するための長尺状の金属配線基板と、アクリルやポリカーボネート等の樹脂材料から成る長尺状の混色用導光板との熱膨張率の差により、発光ダイオード素子を封止した透明性軟質樹脂が、混色用導光板の凹部の界面から剥離するという問題があった。
【００１２】
このような界面剥離は混色用導光板の凹部内おいて局所的に生じるため、発光ダイオード素子から出射した光の混色性を低下させ、混色用導光板の光出射面での色ムラが大きくなるとともに、光源としての信頼性が低下する問題があった。
【００１３】
そこで本発明は、上記課題に鑑みて、発光ダイオード素子を収納するための封止空間を設けた混色用導光板と、該封止空間内に発光ダイオード素子を搭載したサブマウント基板を透明性軟質樹脂により封止した発光ダイオードモジュールにおいて、封止樹脂の界面剥離により生じる色ムラを抑え、光源としての信頼性を高めた発光ダイオードモジュールを提供することを目的とする。
【課題を解決するための手段】
【００１４】
本発明は上記課題を解決するために、発光ダイオード素子をゲル状の透明性の軟質封止樹脂を用い、あらかじめ主導光板の発光ダイオード素子収納用の凹部と同じ形状に成形した後に主導光板を搭載し、更に、混色用導光板の発光ダイオード素子を収納する凹部を半球体としたことを特徴としている。
【発明の効果】
【００１５】
本発明により構成された発光ダイオードモジュールによれば、あらかじめ、封止樹脂を混色用導光板の発光ダイオード素子を収納する凹部の形状と同形状に成形し、その後に混色用導光板を搭載するため、封止樹脂と混色用導光板の間は微少空間が形成され、透明性軟質性樹脂の界面は平滑な状態を保つことができる。そのため、透明性軟質樹脂の局所的な剥離によって生じる色ムラや信頼性低下を解決できるとともに、凹部の形状を半球体とすることにより、透明性軟質樹脂と混色用導光板の間に微少な空間が存在していても、光利用効率の低下を抑えることができる。また、封止用樹脂に透明性軟質樹脂を用いることにより、長尺の金属配線基板と混色用導光板の熱膨張の差によって封止樹脂に加わる応力を緩和することが可能となり、封止樹脂の金属配線基板からの剥離を抑制することができる。
【００１６】
従って、発光ダイオード素子から出射した光を低下させることなく、混色用導光板の出射面において均一な白色光が得られるとともに、信頼性の高い発光ダイオードモジュールを提供することができる。
【発明を実施するための最良の形態】
【００１７】
以下、本発明に係わる発光ダイオードモジュールの実施例について説明する。
【実施例１】
【００１８】
図４に、請求項１に記載の発光ダイオードモジュールを用いたバックライトモジュールの模式図を示す。該バックライトモジュールは、主導光板と発光ダイオードモジュールから成る。発光ダイオードモジュールの混色用導光板の出射面から出た白色光は、光拡散シートを通して主導光板に入射させ、バックライトモジュール全体を面発光させる。
【００１９】
図５に発光ダイオードモジュールの平面図を、図６に図５のＡ−Ａ′の断面図を示す。
【００２０】
該発光ダイオードモジュールは、混色用導光板，光拡散シート，発光ダイオード素子，サブマウント基板，封止樹脂と金属配線基板から成り、混色用導光板には、発光ダイオード素子及びサブマウントを収納するための封止空間（以下、封止空間）が長辺方向に沿って複数個設けられている。また、図６に示したように、封止空間の一方の面は、樹脂を注入するための開口部が設けられている。
【００２１】
本実施例ではサブマウント基板として、発光ダイオード素子を駆動させた際に発生する熱を効果的に放熱するため、熱伝導率が高く電気絶縁材料である窒化アルミを用いた。該窒化アルミを用いたサブマウント基板の片方の表面上に、メッキや蒸着等により銅や金等の金属製の配線層をフォトリソグラフィ技術によりパターニングする。ここで、サブマウント基板として、シリコン等の熱伝導率の高い部材を用いることもでき、このような導電性を有した部材を用いる場合は、別途、配線層と配線基板用基材の間に熱酸化膜や窒化シリコン膜等の絶縁層を設けることによりサブマウント基板として使用することができる。
【００２２】
サブマウント基板上に形成した発光ダイオード素子を搭載するための配線領域に、発光波長の異なる二種類以上の発光ダイオード素子をはんだや導電性ペーストを用いて接続した後、ボンディングワイヤにより発光ダイオード素子とサブマウントのリード端子間を電気的に接続する。本実施例１では白色光を得るために、赤色、青色、緑色の発光ダイオード素子をサブマウント上に実装した。
【００２３】
また、本実施例１では、発光ダイオード素子の下面と上面にそれぞれアノード電極、カソード電極が形成された素子を用いたが、発光ダイオード素子の上面に両電極が形成された素子や、フリップチップ接続により搭載する発光ダイオード素子等も用いることができる。
【００２４】
以上のように発光ダイオード素子を搭載したサブマウント基板を、長尺状の金属配線基板上に導電性ペーストを用いて複数個接続し、サブマウント基板と金属配線基板をボンディングワイヤにより電気的に接続する。
【００２５】
リード端子間をボンディングワイヤで全て接続した組立て状態で、混色用導光板の封止空間と同形状の封止空間を備えた金型を、金属配線基板の発光ダイオード素子搭載した面に配置し、透明性軟質樹脂を封止空間内に注入した後に、真空容器中で脱泡処理を行い、恒温槽等を用いて加熱硬化する。
【００２６】
ここで、透明性軟質樹脂は、ゲルやゴム等のエポキシ樹脂やアクリル樹脂よりも柔らかい材料を用いるのが望ましく、本実施例１ではシリコーンゲルを用いた。
【００２７】
これは、封止樹脂の材料として硬質樹脂（例えばエポキシ樹脂）を用いた場合、混色用導光板と金属配線基板の熱膨張係数差によって生じる、長辺方向の応力を緩和できずに、封止樹脂が金属配線基板から剥離するとともに、ボンディングワイヤの切断を引き起こす。そこで、封止樹脂の材料として軟質樹脂を用いることにより、混色用導光板と金属配線基板の熱膨張係数の差によって発生する内部応力は軟質樹脂によって緩和されるため、封止樹脂の金属配線基板からの剥離及びボンディングワイヤの断線を防止することができる。
【００２８】
透明性軟質樹脂を加熱硬化させた後に恒温槽から取り出し、自然冷却させた後に金型を金属配線基板から取り外し、代わりに混色用導光板を搭載する。
【００２９】
これにより、透明性硬質樹脂による混色導光板の封止空間と透明性軟質樹脂と間の界面には微小な隙間が生じる。そのため、以上の工程によって作製した発光ダイオードモジュールは、図７の発光ダイオードモジュールの詳細断面図において示したように、封止樹脂と混色用導光板の界面が接着していないため、課題となっていた封止樹脂の局所的な剥離を解決することが可能となり、常に平滑な面を保つことができる。
【００３０】
ここで本実施例では、該封止空間の形状を半球体とした。通常、発光ダイオード素子から出射する光は、全方向に放射状に広がっていく。そのため、封止空間の形状を半球体とすることにより、発光ダイオード素子からの光は封止樹脂と混色用導光板の界面で真っ直ぐに入射するため、封止樹脂から出射した光は該界面において乱反射することなく、混色用導光板へ入射するために光は減少しない。
【００３１】
これが例えば矩形上の封止空間とした場合、発光ダイオード素子から出射した光は、封止樹脂から混色用導光板の界面において、臨界角以上の角度で混色用導光板に到達した光は全反射されるため、混色用導光板内に入射する光は減少してしまう。
【００３２】
最後に、混色用導光板に形成したリフレクタ−部等の外周部に、粘着テープなどの一般的な接着手段を用いて反射シートを接続し、混色用導光板の光出射面に光拡散シートを配置する。これにより、発光ダイオード素子からの出射光を繰り返し反射させ、混色用導光板内での混色効果及び光利用効率を高めることができる。ここで、主導光板と混色用導光板の材質は、透明性に優れたアクリル樹脂やポリカーボネート樹脂を用いて形成するのが望ましく、本実施例１では可視光領域での光透過性に優れたアクリル樹脂を用いた。また、混色用導光板の光出射面にプリズム形状やシボ形状を加工して光拡散機能を付与することによって、光拡散シートの代わりにすることが可能である。
【００３３】
このように形成した発光ダイオードモジュールにおいて、封止樹脂と混色用導光板に存在する微少な空間による光利用効率への影響について確認するため、全光束測定を行った。この結果、混色用導光板を搭載してから樹脂封止を行った場合、つまり封止樹脂が混色用導光板の封止空間内に接着されている従来の構造における全光束値と比べて、本実施例の全光束は同等の値が得られ、本発明の有効性を確認した。
【実施例２】
【００３４】
図８に請求項２に記載の発光ダイオードモジュールの平面図を、図９に図８のＡ−Ａ′で示した断面図を示す。
【００３５】
実施例１においては、混色用導光板に各サブマウントに対応した封止空間を設けたが、バックライト光源の更なる高輝度化を実現するためには、発光ダイオード素子の単位面積あたりの搭載数を増やす必要がある。その場合、実施例１で述べたサブマウント別に対応した封止空間領域を確保することが困難となる。そこで、図８及び図９に示したように、各サブマウントに対応する封止空間を一体として樹脂封止することによって、単位面積あたりの発光ダイオード素子数を増やすことが可能となる。
【００３６】
本実施例２における封止用の樹脂材料としては、実施例１と同様にシリコーンゲル等の透明性軟質樹脂を用いることが望ましい。本実施例２の構造の場合、封止樹脂は長辺方向に長い構造となる。封止樹脂は金属配線基板上に接着しているため、封止樹脂と金属配線基板との熱膨張係数差によって、封止樹脂の長手方向へ応力が加わることになる。そこで、封止用の樹脂を軟質樹脂とすることによって、長手方向へ加わる応力を緩和し、ボンディングワイヤの断線を防止することができる。
【００３７】
その他の発光ダイオードモジュールの構造及び形成方法については、実施例１と同様であり、このような構造とすることにより、発光ダイオードの高輝度化が実現できる。
【００３８】
以上、本発明を用いることにより、色ムラが少なく光利用効率の高いバックライト用の発光ダイオードモジュールを実現できる。
【図面の簡単な説明】
【００３９】
【図１】従来の冷陰極管を用いたエッジライト方式バックライトの断面図。
【図２】従来の発光ダイオードパッケージの断面図。
【図３】従来の発光ダイオードパッケージを用いたエッジライト方式バックライトの模式図。
【図４】本実施例１の発光ダイオードモジュールを用いたエッジライト方式バックライトの模式図。
【図５】本実施例１の発光ダイオードモジュールの平面図。
【図６】図５で示したＡ−Ａ′の断面図。
【図７】図６で示した領域Ｂの拡大図。
【図８】本実施例２の発光ダイオードモジュールの平面図。
【図９】図８で示したＣ−Ｃ′の断面図。
【符号の説明】
【００４０】
１…主導光板、２…側面反射シート、３…裏面反射シート、４…光拡散シート、５…第１集光板、６…第２集光板、７…冷陰極蛍光管、８…反射板、９…透明性樹脂、１０…金属レフ板、１１…配線層、１２…ベース基板、１３…長尺配線基板、１４…発光ダイオードパッケージ、１５…金属配線基板、１６…混色用導光板、１７…光拡散シート、１８…発光ダイオード素子、１９…混色用導光板レフ、２０…透明性軟質樹脂、２１…サブマウント基板、２２…封止空間、２３…ボンディングワイヤ。
【図１】
2008053069.tif 000003
【図２】
2008053069.tif 000004
【図３】
2008053069.tif 000005
【図４】
2008053069.tif 000006
【図５】
2008053069.tif 000007
【図６】
2008053069.tif 000008
【図７】
2008053069.tif 000009
【図８】
2008053069.tif 000010
【図９】
2008053069.tif 000011